(57)【要約】【課題】  中間部における縦材及び横材の水抜きのための加工が不要で、意匠性の向上が図れると共に水垢等の汚れが発生し難いサッシを提供する。【解決手段】  左右方向に間隔をおいて配置された複数の縦材２ａ，２ｂ，２ｃと、隣り合う縦材間に掛け渡された複数の横材３ａ，３ｂ，３ｃとからなる枠４と、該枠内に装着されたパネル５とを備え、縦材及び横材にはパネル５を装着するための縦溝８及び横溝９が形成され、最下部の横材３ｃには縦溝８から横溝９に導かれた雨水を外部に排水する排水部１１が設けられ、横材３ｂの端面は該端面を水密に覆うシール材６を挟んで縦材の側面に当接され、最上部と最下部以外の横材のシール材６が位置する縦材の縦溝８には、横溝９から縦溝８に雨水を導く流路を形成すると共にシール材６を横材３ｂの端面に押付けるための蓋材１９が設けられている。【選択図】          図４
2007002626.tif 000002
【特許請求の範囲】
【請求項１】
左右方向に間隔をおいて配置された複数の縦材と、隣り合う縦材間に掛け渡された複数の横材とからなる枠と、該枠内に装着されたパネルとを備えたサッシであって、縦材及び横材にはパネルを装着するための縦溝及び横溝が形成され、最下部の横材には縦溝から横溝に導かれた雨水を外部に排水する排水部が設けられ、横材の端面は該端面を水密に覆うシール材を挟んで縦材の側面に当接され、最上部と最下部以外の横材の端部のシール材が位置する縦材の縦溝には、横溝から縦溝に雨水を導く流路を形成すると共にシール材を横材の端面に押付けるための蓋材が設けられていることを特徴とするサッシ。
【発明の詳細な説明】
【技術分野】
【０００１】
本発明は、例えば店舗の正面壁等を構成するサッシに関する。
【背景技術】
【０００２】
図６は従来のサッシを示す概略的室外側正面図、図７の（ａ）は図６のサッシの要部斜視図、（ｂ）は（ａ）のＢ部拡大図、図８は図６のサッシの要部分解斜視図である。これらの図に示すように店舗の正面壁等を構成するサッシ１は、左右方向に間隔をおいて配置された複数の縦材２ａ，２ｂ，２ｃと、隣り合う縦材２ａ，２ｂ間、２ｂ，２ｃ間に掛け渡された複数の横材３ａ，３ｂ，３ｃとからなる枠４と、該枠４内に装着されたガラスパネル５とを備えている。縦材及び横材にはガラスパネルを装着するための縦溝８及び横溝９が形成されており、サッシに降りかかる雨水はガラスパネル５の室外面から縦溝８や横溝９に浸入し、縦溝８に浸入した雨水は直下の横溝９に導かれ、最上部以外の横材（無目、巾木）３ｂ、３ｃには横溝９から外部に雨水を排水する排水部１１として排水孔１６及び排水器１７が設けられている。すなわち、従来のサッシでは最上部以外の各横材３ｂ，３ｃごとに排水処理を行うように構成されている。
【０００３】
縦材２ａ，２ｂ，２ｃと横材３ａ，３ｂ，３ｃの接合面から室内に雨水が浸入するのを防止するために、横材の端面はシール材６を挟んで縦材の側面に当接されてネジ７で接合される。最上部と最下部以外の中間部の横材（無目）３ｂは中空に構成されているため、前記シール材６は横材３ｂの端面を覆うように形成されている。縦溝８から横溝９に雨水を誘導するために、縦溝８にはバックアップ材１２が埋め込まれると共に、そのバックアップ材１２の上部にシーリング材１３が充填されて縦溝８が塞がれている。なお、横材３ｂの室外側には横溝９よりも低い補助横溝１４が横溝９とつながった状態で形成され、この補助横溝１４にはガラスパネル５の室外側下縁部を押える押縁１５が着脱可能に取付けられる。また、補助横溝１４の室外側立上がり部１４ａには排水孔１６及び排水器１７が設けられる。
【０００４】
【特許文献１】特開２００４−２７８１８９号公報
【発明の開示】
【発明が解決しようとする課題】
【０００５】
しかしながら、前記サッシにおいては、最上部を除く各横材３ｂ，３ｃごとに排水処理を行うために、中間部の縦材２ａ，２ｂ，２ｃ及び横材３ｂに水抜きのための加工（縦溝を塞ぐ加工及び排水部の加工）が必要となり、これらの加工に多くの手間がかかると共に、排水部が多数露出して意匠性を損なうだけでなく、中間部の横材３ｂの排水部１１からの排水により横材やガラスパネルに水垢等の汚れが付着しやすいという問題がある。なお、関連する技術である特許文献１には、縦材及び横材の内部に浸入した雨水を最下部の横材より排出し、これより上方に位置する縦材及び横材の内部に浸入した雨水は前記縦材内部を通じて前記最下部の横材内部に流下するように構成したカーテンウォール等の外壁が記載されている。
【０００６】
ところで、中間部の横材の横溝から縦材の縦溝に雨水を誘導しようとする場合、縦溝から横材の中空部に雨水が浸入する恐れがあり、横材の中空部に雨水が浸入すると、縦材側から横材を接合しているネジの孔部を通って建物の躯体側に雨水が浸入する問題がある。
【０００７】
本発明は、上記事情を考慮してなされたものであり、縦溝から横材の中空部への雨水の浸入を確実に防止して中間部の横材の横溝から縦材の縦溝に雨水を誘導することができ、中間部における縦材及び横材の水抜きのための加工が不要で、意匠性の向上が図れると共に水垢等の汚れが発生し難いサッシを提供することを目的とする。
【課題を解決するための手段】
【０００８】
上記目的を達成するために、本発明は、左右方向に間隔をおいて配置された複数の縦材と、隣り合う縦材間に掛け渡された複数の横材とからなる枠と、該枠内に装着されたパネルとを備えたサッシであって、縦材及び横材にはパネルを装着するための縦溝及び横溝が形成され、最下部の横材には縦溝から横溝に導かれた雨水を外部に排水する排水部が設けられ、横材の端面は該端面を水密に覆うシール材を挟んで縦材の側面に当接され、最上部と最下部以外の横材の端部のシール材が位置する縦材の縦溝には、横溝から縦溝に雨水を導く流路を形成すると共にシール材を横材の端面に押付けるための蓋材が設けられていることを特徴とする。
【発明の効果】
【０００９】
本発明によれば、左右方向に間隔をおいて配置された複数の縦材と、隣り合う縦材間に掛け渡された複数の横材とからなる枠と、該枠内に装着されたパネルとを備えたサッシであって、縦材及び横材にはパネルを装着するための縦溝及び横溝が形成され、最下部の横材には縦溝から横溝に導かれた雨水を外部に排水する排水部が設けられ、横材の端面は該端面を水密に覆うシール材を挟んで縦材の側面に当接され、最上部と最下部以外の横材の端部のシール材が位置する縦材の縦溝には、横溝から縦溝に雨水を導く流路を形成すると共にシール材を横材の端面に押付けるための蓋材が設けられているため、縦溝から横材の中空部への雨水の浸入を確実に防止して中間部の横材の横溝から縦材の縦溝に雨水を誘導することができ、中間部における縦材及び横材の水抜きのための加工が不要で、意匠性の向上が図れると共に水垢等の汚れが発生し難い。
【発明を実施するための最良の形態】
【００１０】
以下に、本発明を実施するための最良の形態について、添付図面を基に詳述する。図１は本発明の実施の形態であるサッシを示す概略的室外側正面図、図２は図１の縦断面図、図３は図１の横断面図、図４の（ａ）は図１のサッシの要部斜視図、（ｂ）は（ａ）のＡ部拡大図、図５は図１のサッシの要部分解斜視図である。
【００１１】
これらの図において、１は店舗の正面壁等を構成する外壁としてのサッシで、このサッシ１は、左右方向に間隔をおいて配置された複数の縦材２ａ，２ｂ，２ｃと、隣り合う縦材２ａ，２ｂ間，２ｂ，２ｃ間に掛け渡された複数の横材３ａ，３ｂ，３ｃとからなる枠４と、該枠４内に装着され（嵌め込まれ）たパネル例えばガラスパネル５とを備えている。縦材２ａ，２ｂ，２ｃ及び横材３ａ，３ｂ，３ｃは、例えばアルミニウム合金の押出形材からなる。サッシ１は、枠４内にガラスパネル５を嵌め込んだいわゆる嵌め殺し式のサッシである。横材３ａ，３ｂ，３ｃと縦材２ａ，２ｂ，２ｃの接合部からの室内への雨水の浸入を防止するために、横材３ａ，３ｂ，３ｃの端面（端部）がシール材６を挟んで縦材２ａ，２ｂ，２ｃの側面に当接され、固着具である例えばネジ７で接合されている。
【００１２】
縦材２ａ，２ｂ，２ｃ及び横材３ａ，３ｂ，３ｃにはガラスパネル５を装着するための溝部（ガラス溝）である縦溝８及び横溝９が形成されている。縦溝８は縦材２ａ，２ｂ，２ｃの長手方向に沿って形成され、横溝９は横材３ａ，３ｂ，３ｃの長手方向に沿って形成されている。ガラスパネル５は枠４内の縦溝８と横溝９に嵌め込まれ、周縁部がビードビード又はシール材１０で保持されている。最外側以外の中間部の縦材２ｂは中空構造ないし中空に構成され、最上部及び最下部以外の中間部の横材（無目）３ｂも中空構造ないし中空に構成されている。中間部の縦材２ｂにはその左右両側面に縦溝８，８が形成され、中間部の横材３ｂにはその上下両面に横溝９，９が形成されている。
【００１３】
特に、縦溝８及び横溝９は縦材２ａ，２ｂ，２ｃ及び横材３ａ，３ｂ，３ｃのそれぞれの見込方向略中間位置に形成されている。また、縦溝８並びに中間部及び最下部の横材３ｂ，３ｃにおける上向きに開口した横溝９は、ガラスパネル５の室外面等から伝わって縦溝８内や横溝９内に浸入した雨水を誘導する排水路になっている。
【００１４】
最下部の横材（巾木）３ｃには、従来と同様に、縦溝８から横溝９に導かれた雨水を外部に排水する排水部１１が設けられている。更に具体的には、最下部における縦材２ａ，２ｂ，２ｃ及び横材３ｃには、従来と同様に、水抜きのための加工（縦溝８を塞ぐ加工及び排水部１１の加工）が施されている。具体的構造は図７ないし図８を用いて説明した従来技術と同様、最下部の縦溝８から横溝９に雨水を誘導するために、縦溝８にはバックアップ材１２が埋め込まれると共に、そのバックアップ材１２の上部にシーリング材１３が充填されて縦溝８が塞がれている。
【００１５】
最下部の横材３ｃの室外側には横溝９よりも低い補助横溝１４が横溝９とつながった状態で形成され、この補助横溝１４にはガラスパネル５の室外側下縁部を押える押縁１５が着脱可能に取付けられ、補助横溝１４の室外側立上がり部１４ａには排水孔１６及び排水器１７が設けられる。但し、図７，図８では中間部の横材３ｂについて説明されているので、本実施の形態ではこの横材３ｂが最下部の横材３ｃに代わる。本実施の形態においては、中間部における縦材２ａ，２ｂ，２ｃ及横材３ｂには、従来と異なり、水抜きのための加工（縦溝を塞ぐ加工及び排水部の加工）が施されないからである。
【００１６】
一方、中間部における縦材及び横材（具体的には中間部の横材３ｂ及び該横材３ｂと対応する縦材２ａ，２ｂ，２ｃの中間部）には、横材３ｂの接合部分において雨水を縦材の縦溝８に沿って上方から下方に通過させると共に、横材３ｂの横溝９から縦溝８に雨水を誘導するための対策が施されている。この場合、特に重要となるのは、横溝９から縦溝８に雨水を誘導する際に雨水が横材３ｂの端面から横材３ｂの中空部１８内に浸入するのを如何に防止するかである。この場合、図４ないし図５に示すように、中空の横材３ｂの端面は該端面を水密に覆うシール材６を挟んで縦材２ａ，２ｂ，２ｃの側面に当接され、該シール材６が位置する縦材２ａ，２ｂ，２ｃの縦溝８には、横溝９から縦溝８に雨水を導く流路を形成すると共にシール材６を横材３ｂの端面に押付けるための溝蓋としての蓋材１９が設けられている。
【００１７】
横材３ｂの室外側には横溝９よりも低い補助横溝１４が横溝９とつながった状態で形成され、この補助横溝１４にはガラスパネル５の室外側下縁部を押える押縁１５が着脱可能に取付けられる。なお、中間部の横材３ｂにおける補助横溝１４の室外側立上がり部１４ａには排水部である排水孔及び排水器が設けられていない。
【００１８】
前記シール材６は軟質樹脂製又はゴム製のシート状の水・気密材からなる。シール材６は横材３ｂの両端面に配置される。シール材６は横材３ｂの端面と対応する形状に形成されており、縦材２ａ，２ｂ，２ｃ及びシール材６には横材３ｂと縦材２ａ，２ｂ，２ｃを接合するネジ７を挿入するための孔部２０，２１が設けられている。押縁１５の取付け取外し性を考慮してシール材６には押縁１５の端面と対応する部分は形成されていないことが好ましい。
【００１９】
前記蓋材１９は、縦溝８の開口面を縦材２ａ，２ｂ，２ｃの側面と略面一で覆っていることが好ましい。図示例の縦溝８には両側面にビード１０を保持するための突条部２２が形成されているため、蓋材１９はその両側の突条部２２の表側に蓋材１９の裏面両側部が当接されると共に、蓋材１９の裏面には両突条部２２の裏側に自らの弾発力で掛止されて蓋材１９を着脱自在に保持するための掛止片２３が形成されている。
【００２０】
蓋材１９はその上端部が中間部の横材３ｂの上向きの横溝９の底面と略面一になり、且つ下端部が同横材３ｂの下向きの横溝９の底面と略面一になる長さ、すなわち同横材３ｂの上向きの横溝９と下向きの横溝９との間の寸法に形成されている。この蓋材１９の表面及び縦材２ａ，２ｂ，２ｃの側面によりシール材６全体が横材３ｂの端面に押し付けられるため、横材３ｂの端面とシール材６との間に隙間が生じることがなく、横溝９や縦溝８から横材３ｂの中空部１８内への雨水の浸入を防止しつつ、横材３ｂと縦材２ａ，２ｂ，２ｃの接合部において縦溝８に沿って雨水を上方から下方に流下させることができると共に、横溝９から縦溝８に雨水を誘導することができるようになっている。
【００２１】
以上の構成からなるサッシ１ないし外壁によれば、左右方向に間隔をおいて配置された複数の縦材２ａ，２ｂ，２ｃと、隣り合う縦材２ａ，２ｂ間、２ｂ，２ｃ間に掛け渡された複数の横材３ａ，３ｂ，３ｃとからなる枠４と、該枠４内に装着されたパネル例えばガラスパネル５とを備え、縦材２ａ，２ｂ，２ｃ及び横材３ａ，３ｂ，３ｃにはガラスパネル５を装着するための縦溝８及び横溝９が形成され、最下部の横材３ｂには縦溝８から横溝９に導かれた雨水を外部に排水する排水部１１が設けられ、最上部と最下部以外の横材３ｂは中空に構成され、横材３ａ，３ｂ，３ｃの端面は該端面を水密に覆うシール材６を挟んで縦材２ａ，２ｂ，２ｃの側面に当接され、最上部と最下部以外の横材３ｂの端部のシール材６が位置する縦材２ａ，２ｂ，２ｃの縦溝８には、横溝９から縦溝８に雨水を導く流路を形成すると共にシール材６を横材３ｂの端面に押付けるための蓋材１９が設けられているため、縦溝８から横材９の中空部１８への雨水の浸入を確実に防止して中間部１８の横材３ｂの横溝９から縦材２ａ，２ｂ，２ｃの縦溝８に雨水を誘導することができ、中間部における縦材２ａ，２ｂ，２ｃ及び横材３ｂの水抜きのための加工が不要になり、意匠性の向上が図れると共に水垢等による汚れが発生し難くなる。
【００２２】
すなわち、縦材の縦溝８に横溝９から縦溝８に雨水を導く流路を確保すると共にシール材６を縦材の側面と略面一で横材３ｂの端面に押付けるための蓋材１９を設けたため、縦溝８から横材９の中空部１８への雨水の浸入を確実に防止しつつ中間部１８の横材３ｂの横溝９から縦材２ａ，２ｂ，２ｃの縦溝８に雨水を誘導することが可能となり、中間部における縦材２ａ，２ｂ，２ｃ及び横材３ｂの水抜きのための加工が不要になった。中間部における縦材２ａ，２ｂ，２ｃ及び横材３ｂに水抜きのための加工（縦溝を塞ぐ加工及び排水部の加工）を施す必要がないため、意匠性の向上が図れると共に水垢等による汚れの発生を抑制することができる。
【００２３】
以上、本発明の実施の形態ないし実施例を図面により詳述してきたが、例えば、横材は中空のホロー形状に限定されず、一部開口部分のあるものであってもよく、本発明は前記実施の形態ないし実施例に限定されるものではなく、本発明の要旨を逸脱しない範囲での種々の設計変更等が可能である。
【図面の簡単な説明】
【００２４】
【図１】本発明の実施の形態であるサッシを示す概略的室外側正面図である。
【図２】図１の縦断面図である。
【図３】図１の横断面図である。
【図４】（ａ）は図１のサッシの要部斜視図、（ｂ）は（ａ）のＡ部拡大図である。
【図５】図１のサッシの要部分解斜視図である。
【図６】従来のサッシを示す概略的室外側正面図である。
【図７】（ａ）は図６のサッシの要部斜視図、（ｂ）は（ａ）のＢ部拡大図である。
【図８】図６のサッシの要部分解斜視図である。
【符号の説明】
【００２５】
１  サッシ
２ａ，２ｂ，２ｃ  縦材
３ａ，３ｂ，３ｃ  横材
４  枠
５  ガラスパネル（パネル）
６  シール材
８  縦溝
９  横溝
１１  排水部
１８  中空部
１９  蓋材
【図１】
2007002626.tif 000003
【図２】
2007002626.tif 000004
【図３】
2007002626.tif 000005
【図４】
2007002626.tif 000006
【図５】
2007002626.tif 000007
【図６】
2007002626.tif 000008
【図７】
2007002626.tif 000009
【図８】
2007002626.tif 000010